(57)【要約】    【課題】  変倍光学系が振動したときの撮影画像のブレを光学的に補正して静止画像を得るようにした防振機能を有した変倍光学系を得ること。    【解決手段】  物体側より順に変倍及び合焦の際に固定の正の屈折力の第１群、変倍機能を有する負の屈折力の第２群、正の屈折力の第３群、そして変倍により変動する像面を補正する補正機能と合焦機能の双方の機能を有する正の屈折力の第４群の４つのレンズ群より構成された変倍光学系であって、該第３群は負の屈折力の第３１群、正の屈折力の第３２群より構成されており、該第３２群を光軸と垂直方向に移動させて該変倍光学系が振動したときの撮影画像のブレを補正し、全系の広角端の焦点距離をｆＷ、最終レンズ面から結像面までの間に屈折力のない光学部材を除去したときの広角端でのバックフォーカスをｂｆＷとしたとき      ３＜ｂｆＷ／ｆＷ＜６なる条件を満足すること。【選択図】図１
2006227644.tif 000002
【特許請求の範囲】
【請求項１】
物体側より順に変倍及び合焦の際に固定の正の屈折力の第１群、変倍機能を有する負の屈折力の第２群、正の屈折力の第３群、そして変倍により変動する像面を補正する補正機能と合焦機能の双方の機能を有する正の屈折力の第４群の４つのレンズ群より構成された変倍光学系であって、該第３群は負の屈折力の第３１群、正の屈折力の第３２群より構成されており、該第３２群を光軸と垂直方向に移動させて該変倍光学系が振動したときの撮影画像のブレを補正し、全系の広角端の焦点距離をｆＷ、最終レンズ面から結像面までの間に屈折力のない光学部材を除去したときの広角端でのバックフォーカスをｂｆＷとしたとき
３＜ｂｆＷ／ｆＷ＜６
なる条件を満足することを特徴とする防振機能を有した変倍光学系。
【請求項２】
前記第３２群と第３群の焦点距離を各々ｆ３２，ｆ３としたとき
８＜  ｆ３  ／ｆＷ  ＜２５
０．３＜｜ｆ３２／ｆ３｜＜０．７５
を満足していることを特徴とする請求項１の防振機能を有した変倍光学系。
【請求項３】
物体側より順に変倍及び合焦の際に固定の正の屈折力の第１群、変倍機能を有する負の屈折力の第２群、正の屈折力の第３群、そして変倍により変動する像面を補正する補正機能と合焦機能の双方の機能を有する正の屈折力の第４群の４つのレンズ群より構成された変倍光学系であって、該第３群は負の屈折力の第３１群、１以上の負レンズを有する全体として正の屈折力の第３２群、そして１つの正レンズを含む第３３群より構成されており、該第３２群を光軸と垂直方向に移動させて該変倍光学系が振動したときの撮影画像のブレを補正していることを特徴とする防振機能を有した変倍光学系。
【請求項４】
前記第３２群と第３群の焦点距離を各々ｆ３２，ｆ３、全系の広角端の焦点距離をｆＷとしたとき
８＜  ｆ３  ／ｆＷ  ＜２５
０．３＜｜ｆ３２／ｆ３｜＜０．７５
を満足していることを特徴とする請求項３の防振機能を有した変倍光学系。
【請求項５】
前記第２群の焦点距離をｆ２、全系の広角端と望遠端の焦点距離を各々ｆＷ，ｆＴとするとき、
【数１】
2006227644.tif 000009
なる条件を満足することを特徴とする請求項１〜４の何れか１項の防振機能を有した変倍光学系。
【請求項６】
請求項１から５のいずれか１項の変倍光学系を用いて像を固体撮像手段上に形成していることを特徴とするカメラ。
【発明の詳細な説明】
【技術分野】
【０００１】
本発明は防振機能を有した変倍光学系及びそれを有するカメラに関し、特に変倍光学系の一部のレンズ群を光軸と垂直方向に移動させることにより、該変倍光学系が振動（傾動）したときの撮影画像のブレを光学的に補正して静止画像を得るようにし撮影画像の安定化を図った写真用カメラやビデオカメラや電子スチルカメラそして３−ＣＣＤ対応の電子カメラ等に好適なものである。
【背景技術】
【０００２】
進行中の車や航空機等移動物体上から撮影をしようとすると撮影系に振動が伝わり手振れとなり撮影画像にブレが生じる。
【０００３】
従来よりこのときの撮影画像のブレを防止する機能を有した防振光学系が種々と提案されている（特許文献１〜８）。
【０００４】
特許文献１では光学装置に振動状態を検知する検知手段からの出力信号に応じて、一部の光学部材を振動による画像の振動的変位を相殺する方向に移動させることにより画像の安定化を図っている。
【０００５】
特許文献２では最も被写体側に屈折型可変頂角プリズムを配置した撮影系において、撮影系の振動に対応させて該屈折型可変頂角プリズムの頂角を変化させて画像を偏向させて画像の安定化を図っている。
【０００６】
特許文献３，４では撮影系の一部に振動に対して空間的に固定の光学部材を配置し、この光学部材の振動に対して生ずるプリズム作用を利用することにより撮影画像を偏向させ結像面上で静止画像を得ている。
【０００７】
特許文献５，６では加速度センサー等を利用して撮影系の振動を検出し、このとき得られる信号に応じ、撮影系の一部のレンズ群を光軸と直交する方向に振動させることにより静止画像を得る方法も行なわれている。
【０００８】
特許文献７では、物体側より順に変倍及び合焦の際に固定の正の屈折力の第１群、変倍機能を有する負の屈折力の第２群、開口絞り、正の屈折力の第３群、そして変倍により変動する像面を補正する補正機能と合焦機能
の双方の機能を有する正の屈折力の第４群の４つのレンズ群を有した変倍光学系であって、該第３群は負の屈折力の第３１群と正の屈折力の第３２群の２つのレンズ群より成り、該第３２群を光軸と垂直方向に移動させて該変倍光学系が振動したときの撮影画像のブレを補正している。
【０００９】
特許文献８では正，負，正，正の屈折力の４群構成の変倍光学系の第３群全体を振動させて防振を行っている。
【特許文献１】特公昭５６−２１１３３号公報
【特許文献２】特開昭６１−２２３８１９号公報
【特許文献３】特公昭５６−  ３４８４７号公報
【特許文献４】特公昭５７−    ７４１４号公報
【特許文献５】特開平１−１１６６１９号公報
【特許文献６】特開平２−１２４５２１号公報
【特許文献７】特開平７−１２８６１９号公報
【特許文献８】特開平７−１９９１２４号公報
【発明の開示】
【発明が解決しようとする課題】
【００１０】
一般に防振光学系を撮影系の前方に配置し、該防振光学系の一部の可動レンズ群を振動させて撮影画像のブレを無くし、静止画像を得る方法は装置全体が大型化し、且つ該可動レンズ群を移動させる為の移動機構が複雑化してくるという問題点があった。
【００１１】
又、可動レンズ群を振動させたときの偏心収差の発生量が多くなり光学性能が大きく低下してくるという問題点もあった。
【００１２】
可変頂角プリズムを利用して防振を行なう光学系では特に長焦点距離側（望遠側）において防振時に偏心倍率色収差の発生量が多くなるという問題点があった。
【００１３】
一方、撮影系の一部のレンズを光軸に対して垂直方向に平行偏心させて防振を行なう光学系においては、防振の為に特別な光学系は要しないという利点はあるが、移動させるレンズの為の空間を必要とし、又防振時における偏心収差の発生量が多くなってくるという問題点があった。
【００１４】
又、正、負、正そして正の屈折力の４つのレンズ群より成る４群構成の変倍光学系において第３群全体を光軸に垂直方向に移動させて防振を行う方式においては、光学系全体の小型化を図るためにＣＣＤ等の撮像素子を小型化しようとする
と、防振のための第３群の偏心位置に対する精度が厳しくなりすぎてしまうという問題点があった。
【００１５】
特に近年、民生用のビデオカメラにおいても高画質化のために３−ＣＣＤ方式が一部のカメラでは採用されている。しかし、３−ＣＣＤ方式対応の正，負，正，正の屈折力の４群構成の変倍光学系において、その第３群全体を光軸に垂直方向に移動させて振動を行った場合、防振のための第３群の光軸補正のための敏感度が小さくなりすぎてしまい、補正レンズ群の移動量が大きくなりすぎて光学系全体が太くなりすぎるという問題点があった。
【００１６】
本発明は、変倍光学系の一部を構成する比較的小型軽量のレンズ群を光軸と垂直方向に移動させて、該変倍光学系が振動（傾動）したときの画像のブレを補正するように構成することにより、装置全体の小型化，機構上の簡素化及び駆動手段の負荷の軽減化を図りつつ該レンズ群を偏心させたときの偏心発生量を少なく抑え、偏心収差を良好に補正し、また偏心レンズ群の防振のための敏感度を大きくして、光学系全体の小型化を図った防振機能を有した変倍光学系及びそれを有するカメラの提供を目的とする。
【課題を解決するための手段】
【００１７】
請求項１の発明の防振機能を有した変倍光学系は、物体側より順に変倍及び合焦の際に固定の正の屈折力の第１群、変倍機能を有する負の屈折力の第２群、正の屈折力の第３群、そして変倍により変動する像面を補正する補正機能と合焦機能の双方の機能を有する正の屈折力の第４群の４つのレンズ群より構成された変倍光学系であって、該第３群は負の屈折力の第３１群、正の屈折力の第３２群より構成されており、該第３２群を光軸と垂直方向に移動させて該変倍光学系が振動したときの撮影画像のブレを補正し、全系の広角端の焦点距離をｆＷ、最終レンズ面から結像面までの間に屈折力のない光学部材を除去したときの広角端でのバックフォーカスをｂｆＷとしたとき
３＜ｂｆＷ／ｆＷ＜６・・・（３）
なる条件を満足することを特徴としている。
【００１８】
請求項２の発明は、請求項１の発明において、前記第３２群と第３群の焦点距離を各々ｆ３２，ｆ３としたとき
８＜  ｆ３  ／ｆＷ  ＜２５・・・（１）
０．３＜｜ｆ３２／ｆ３｜＜０．７５・・・（２）
を満足していることを特徴としている。
【００１９】
請求項３の発明は、物体側より順に変倍及び合焦の際に固定の正の屈折力の第１群、変倍機能を有する負の屈折力の第２群、正の屈折力の第３群、そして変倍により変動する像面を補正する補正機能と合焦機能の双方の機能を有する正の屈折力の第４群の４つのレンズ群より構成された変倍光学系であって、該第３群は負の屈折力の第３１群、１以上の負レンズを有する全体として正の屈折力の第３２群、そして１つの正レンズを含む第３３群より構成されており、該第３２群を光軸と垂直方向に移動させて該変倍光学系が振動したときの撮影画像のブレを補正していることを特徴としている。
【００２０】
請求項４の発明は、請求項３の発明において、前記第３２群と第３群の焦点距離を各々ｆ３２，ｆ３、全系の広角端の焦点距離をｆＷとしたとき
８＜  ｆ３  ／ｆＷ  ＜２５・・・（１）
０．３＜｜ｆ３２／ｆ３｜＜０．７５・・・（２）
を満足していることを特徴としている。
【００２１】
請求項５の発明は、請求項１から４のいずれか１項の発明において、前記第２群の焦点距離をｆ２、全系の広角端と望遠端の焦点距離を各々ｆＷ，ｆＴとするとき、
【００２２】
【数１】
2006227644.tif 000003
【００２３】
なる条件を満足することを特徴としている。
【００２４】
請求項６の発明のカメラは、請求項１から５のいずれか１項の変倍光学系を用いて像を固体撮像手段上に形成していることを特徴としている。
【発明の効果】
【００２５】
本発明によれば以上のように、変倍光学系の一部を構成する比較的小型軽量のレンズ群を光軸と垂直方向に移動させて、該変倍光学系が振動（傾動）したときの画像のブレを補正するように構成することにより、装置全体の小型化，機構上の簡素化及び駆動手段の負荷の軽減化を図りつつ該レンズ群を偏心させたときの偏心発生量を少なく抑え、偏心収差を良好に補正し、また偏心レンズ群の防振のための敏感度を大きくして、光学系全体の小型化を図った防振機能を有した変倍光学系及びそれを有するカメラを達成することができる。
【発明を実施するための最良の形態】
【００２６】
図１は本発明の近軸屈折力配置を示す概略図、図２〜図４は本発明の数値実施例１〜３の広角端のレンズ断面図である。
【００２７】
図中、Ｌ１は正の屈折力の第１群、Ｌ２は負の屈折力の第２群、Ｌ３は正の屈
折力の第３群であり、負の屈折力の第３１群Ｌ３１と正の屈折力の第３２群Ｌ３２の２つ以上のレンズ群を有している。
【００２８】
数値実施例１〜３では第３２群Ｌ３２を矢印３の如く光軸と垂直方向に移動させて変倍光学系が振動（傾動）したときの撮影画像のブレを補正している。
【００２９】
Ｌ４は正の屈折力の第４群である。ＳＰは開口絞りであり、第３群Ｌ３の前方、又は第３群中又は第３群と第４群との間に配置している。Ｇはフェースプレート等のガラスブロックである。ＩＰは像面である。
【００３０】
図１に示すように本実施形態では広角端から望遠端への変倍に際して矢印のように第２群を像面側へ移動させると共に、変倍に伴う像面変動を第４群を移動させて補正している。
【００３１】
又、第４群を光軸上移動させてフォーカスを行うリヤーフォーカス式を採用している。同図に示す第４群の実線の曲線４ａと点線の曲線４ｂは各々無限遠物体と近距離物体にフォーカスしているときの広角端から望遠端への変倍に伴う際の像面変動を補正する為の移動軌跡を示している。尚、第１群と第３群は変倍及びフォーカスの際固定である。
【００３２】
本実施形態においては第４群を移動させて変倍に伴う像面変動の補正を行うと共に第４群を移動させてフォーカスを行うようにしている。特に同図の曲線４ａ，４ｂに示すように広角端から望遠端への変倍に際して物体側へ凸状の軌跡を有するように移動させている。これにより第３群と第４群との空間の有効利用を図りレンズ全長の短縮化を効果的に達成している。
【００３３】
本実施形態において、例えば望遠端において無限遠物体から近距離物体へフォーカスを行う場合は同図の直線４ｃに示すように第４群を前方へ繰り出すことにより行っている。
【００３４】
本実施形態におけるズームレンズは第１群と第２群の合成系で形成した虚像を第３群と第４群で感光面上に結像するズーム方式をとっている。
【００３５】
本実施形態では従来の所謂４群ズームレンズにおいて第１群を繰り出してフォーカスを行う場合に比べて前述のようなリヤーフォーカス方式を採ることにより第１群の偏心誤差による性能劣化を防止しつつ第１群のレンズ有効径の増大化を効果的に防止している。
【００３６】
そして開口絞りを第３群の直前、又は第３群中又は第３群と第４群との間に配置することにより可動レンズ群による収差変動を少なくし、開口絞りより前方のレンズ群の間隔を短くすることにより前玉レンズ径の縮少化を容易に達成している。
【００３７】
本発明の図２，図４の数値実施例１，３においては第３群Ｌ３を負の屈折力の第３１群と正の屈折力の第３２群の２つのレンズ群より成っている。又図３の数値実施例２では第３群Ｌ３を負の屈折力の第３１群Ｌ３１、正の屈折力の第３２群Ｌ３２、そして正の屈折力の第３３群Ｌ３３の３つのレンズ群より構成している。
【００３８】
尚、本実施形態では第３群を３つ以上のレンズ群より構成しても良い。そして第３群中の第３２群を防振用として光軸と垂直方向に移動させて変倍光学系が振動したときの像ブレを補正している。これにより従来の防振光学系に比べて防振の為のレンズ群や可変頂角プリズム等の光学部材を新たに付加することなく防振を行なっている。
【００３９】
次に本発明に係る変倍光学系においてレンズ群を光軸と垂直方向に移動させて撮影画像のブレを補正する防振系の光学的原理を図１４を用いて説明する。
【００４０】
図１４（Ａ）に示すように光学系が固定群Ｙ１・偏心群Ｙ２そして固定群Ｙ３
の３つの部分から成り立っており、レンズから充分に離れた光軸上の物点Ｐが撮像面ＩＰの中心に像点ｐとして結像しているものとする。
【００４１】
今、撮像面ＩＰを含めた光学系全体が図１４（Ｂ）のように手振れにより瞬間的に傾いたとすると、物点Ｐは像点ｐ′にやはり瞬間的に移動し、ブレた画像となる。
【００４２】
一方、偏心群Ｙ２を光軸と垂直方向に移動させると図１４（Ｃ）のように、像点ｐはｐ″に移動し、その移動量・方向はパワー配置に依存し、そのレンズ群の偏心敏感度として表される。
【００４３】
そこで図１４（Ｂ）で手振れによってズレた像点ｐ′を偏心群Ｙ２を適切な量だけ光軸と垂直方向に移動させることによってもとの結像位置ｐに戻すことで図１４（Ｄ）に示すとおり、手振れ補正つまり防振を行っている。
【００４４】
今、光軸をθ°補正するために必要なシフトレンズ群（偏心群）Ｙ２の移動量をΔ、光学系全体の焦点距離をｆ、シフトレンズ群Ｙ２の偏心敏感度をＴＳとすると、移動量Δは
Δ＝ｆ・ｔａｎ（θ）／ＴＳ
の式で与えられる。
【００４５】
今、シフトレンズ群Ｙ２の偏心敏感度ＴＳが小さすぎると、移動量Δは大きな値となり防振に必要なシフトレンズ群の移動量は大きくなりすぎてレンズ径が増大してくる。
【００４６】
特に３−ＣＣＤ方式対応のビデオカメラ用の撮影レンズでは像面側に色分解のためのプリズムを配置するための空間が必要であるため通常の単板式の撮影レンズよりも長いバックフォーカスが必要となる。このため第３群の正の屈折力が第４群の正の屈折力に対して弱くなり、第３群の光軸に垂直方向の敏感度が小さく
なる。
【００４７】
従って第３群全体を光軸方向に対して垂直方向に移動させて振動を行おうとすると第３群の移動量が大きくなり過ぎてしまう。ビデオカメラ用の撮影レンズに、現在一般的に用いられている正，負，正，正の屈折力の４群構成ズームレンズを用いて、第３群の偏心敏感度を大きくしようとすると、第３群の屈折力を大きくする必要が生じてくる。この結果バックフォーカスの確保が困難になり、３−ＣＣＤ方式対応に適さなくなってしまう。
【００４８】
そこで本発明では第３群を負の屈折力の第３１群と正の屈折力の第３２群の２以上のレンズ群に分割することによりシフトレンズとしての第３２群の屈折力を大きくし、その偏心敏感度も大きくしている。これによって３−ＣＣＤ対応でありながらコンパクトな防振光学系を達成している。
【００４９】
ここで条件式（１），（２）は、主に以上説明した構成の４群ズームレンズにおいて第３群と第３２群の焦点距離（屈折力）を適切に設定して、バックフォーカスを十分長く確保しつつ、シフトレンズ群の敏感度をあげるためのものである。
【００５０】
条件式（１）の下限値を越えて第３群の屈折力が強くなるとレンズ全長の短縮には有利だが、バックフォーカスの確保が困難になってしまうので良くない。また条件式（１）の上限値を越えて第３群の屈折力が弱くなってしまうとレンズ全長の短縮が困難になる。
【００５１】
条件式（２）は第３群の第３１群と第３２群の２つのレンズ群の屈折力配置に関するものである。条件式（２）の下限値を越えて第３２群の屈折力が大きくなれば、偏心敏感度も大きくなってメカ誤差の影響による防振の補正残りが大きくなってしまう。逆に上限値を越えて第３２群の屈折力が小さくなると防振時に必要な第３２群の移動量が大きくなり過ぎ、これを駆動する為のアクチュエーター等部材も大きくなってしまうので良くない。
【００５２】
又、第２発明では条件式（３）を満足させることによって３−ＣＣＤ対応のビデオカメラに良好に適用させている。
【００５３】
条件式（３）の下限値を越えてバックフォーカスが短くなりすぎると色分解プリズム等を挿入するためのスペースがなくなってしまう。逆に上限値を越えてバックフォーカスを確保しようとすると、第３１群の屈折力が強くなり過ぎて第３２群をシフトして防振したときの光学性能を維持することが困難になる。
【００５４】
又、条件式（４）を満足させることによってレンズ全長の短縮化を図っている。
【００５５】
条件式（４）の下限値を越えて第２群の屈折力が強くなりすぎるとレンズ全長の短縮化には有利だが、像面湾曲や歪曲の変倍全域にわたる変動を補正するのが困難になるので良くない。また条件式（４）の上限値を越えて第２群の屈折力が弱くなりすぎると変倍に必要な第２群の移動量が大きくなりすぎるので良くない。
【００５６】
又、変倍全域に渡って十分な色倍率収差の補正を行うには第２群は物体側から順に像面側に強い凹面を向けたメニスカス状の負レンズ、両レンズ面が凹面の負レンズ、正レンズ、そして負レンズで構成するのが良い。又３−ＣＣＤ対応でバックフォーカスを伸ばしたとき第４群の屈折力が強くなると共に、軸上光線が第４群を通る高さが高くなって球面収差が発生しやすくなる。この為第４群は少なくとも１枚の負レンズと２枚の正レンズで構成し、少なくとも１面に非球面を有するようにするのが望ましい。
【００５７】
次に図２の数値実施例１について説明する。図２では第３群を物体側から順に固定の負の屈折力の第３１群、防振のために光軸に垂直方向にシフトする正の屈折力の第３２群で構成している。そして第３１群を両レンズ面が凹面の負レンズと正レンズ、第３２群を像面側に強い凹面を向けたメニスカス状の負レンズと２枚の両レンズ面が凸面の正レンズで構成している。
【００５８】
そして第３１群と第３２群の各々の少なくとも１面に非球面に設けることにより各レンズ群内で発生する諸収差を小さくし、防振時の光学性能の劣化を抑制している。
【００５９】
本実施例では第３１群の最も物体側のレンズ面と第３２群の最も像面側のレンズ面に非球面を導入し、各群内で発生する球面収差、コマ収差を小さくすることにより、防振時に発生する偏心収差、特に偏心コマ収差を良好に補正している。
【００６０】
尚、非球面の位置は各群の異なる面でも良い。また偏心の倍率色収差や偏心による像面湾曲を補正するためにはシフト群単独でできるだけ色収差が補正されてペッツバール和が小さくなっていることが望ましい。
【００６１】
従ってシフトレンズ群（第３２群）には少なくとも１枚の負レンズを含むように構成するのが、色収差の補正やペッツバール和を小さくするのに効果的である。また、この時、全系の色収差を良好に保つためには第３２群以外に第３群内に少なくとも１枚の正レンズを有するようにするのが良い。
【００６２】
次に図３の数値実施例２について説明する。図３では第３群を物体側から負の屈折力の固定の第３１群、防振の為に光軸に垂直方向にシフトする正の屈折力の第３２群、弱い屈折力（第３群の焦点距離ｆ３の５倍以上の焦点距離を有する。）の第３３群で構成している。
【００６３】
第３１群は１枚の負レンズ、第３２群を負レンズと両レンズ面が凸面の正レン
ズ、第３３群を正レンズと負レンズの貼り合わせレンズで構成している。第３２群の最も像面側のレンズ面に非球面を導入して第３２群内の球面収差やコマ収差を小さくして防振時に発生する偏心コマ収差の発生を抑制している。
【００６４】
本実施形態では第３３群を全体に弱い屈折力を有するようにすることで第３群全体の色収差を補正しつつ、第３３群の位置誤差の影響を小さくしている。
【００６５】
次に図４の数値実施例３について説明する。図４では第３群を物体側から順に固定の負の屈折力の第３１群、防振の為に光軸に垂直方向にシフトする正の屈折力の第３２群より構成している。そして第３１群を両レンズ面が凹面の負レンズと両レンズ面が凸面の正レンズより構成し、第３２群を物体側に凸面を向けたメニスカス状の負レンズと両レンズ面が凸面の正レンズより構成している。
【００６６】
第３１群の物体側のレンズ面と第３２群の像面側のレンズ面に非球面を設けて防振時の光学性能の低下を防止している。
【００６７】
次に本発明の数値実施例を示す。数値実施例においてＲｉは物体側より順に第ｉ番目のレンズ面の曲率半径、Ｄｉは物体側より第ｉ番目のレンズ厚及び空気間隔、Ｎｉとνｉは各々物体側より順に第ｉ番目のレンズのガラスの屈折率とアッベ数である。また数値実施例１におけるＲ２９〜Ｒ３３、数値実施例２におけるＲ２８〜Ｒ３２、数値実施例３におけるＲ２６〜Ｒ３０は光学フィルター，フェースプレート等を示すが、これらは必要に応じて省略し得る。
【００６８】
非球面形状は光軸方向にＸ軸、光軸と垂直方向にＨ軸、光の進行方向を正としＲを近軸曲率半径、Ａ，Ｂ，Ｃ，Ｄ，Ｅを各々非球面係数としたとき、
【００６９】
【数２】
2006227644.tif 000004
【００７０】
なる式で表わしている。又「ｅ−Ｘ」は１０−Ｘを意味している。又、前述の各条件式と数値実施例における諸数値との関係を表−１に示す。
【００７１】
【数３】
2006227644.tif 000005
【００７２】
【数４】
2006227644.tif 000006
【００７３】
【数５】
2006227644.tif 000007
【００７４】
【表１】
2006227644.tif 000008
【図面の簡単な説明】
【００７５】
【図１】本発明に係る変倍光学系の近軸屈折力配置の概略図
【図２】本発明の数値実施例１の広角端のレンズ断面図
【図３】本発明の数値実施例２の広角端のレンズ断面図
【図４】本発明の数値実施例３の広角端のレンズ断面図
【図５】本発明の数値実施例１の広角端の諸収差図
【図６】本発明の数値実施例１の望遠端の諸収差図
【図７】本発明の数値実施例１の望遠端の諸収差図
【図８】本発明の数値実施例２の広角端の諸収差図
【図９】本発明の数値実施例２の望遠端の諸収差図
【図１０】本発明の数値実施例２の望遠端の諸収差図
【図１１】本発明の数値実施例３の広角端の諸収差図
【図１２】本発明の数値実施例３の望遠端の諸収差図
【図１３】本発明の数値実施例３の望遠端の諸収差図
【図１４】本発明に係る防振系の光学的原理の説明図
【符号の説明】
【００７６】
Ｌ１    第１群
Ｌ２    第２群
Ｌ３    第３群
Ｌ４    第４群
Ｌ３１  第３１群
Ｌ３２  第３２群
Ｌ３３  第３３群
ＳＰ    絞り
ＩＰ    像面
ｄ      ｄ線
ｇ      ｇ線
ΔＭ    メリディオナル像面
ΔＳ    サジタル像面
【図１３】
2006227644.tif 000010
【図１】
2006227644.tif 000011
【図２】
2006227644.tif 000012
【図３】
2006227644.tif 000013
【図４】
2006227644.tif 000014
【図５】
2006227644.tif 000015
【図６】
2006227644.tif 000016
【図７】
2006227644.tif 000017
【図８】
2006227644.tif 000018
【図９】
2006227644.tif 000019
【図１０】
2006227644.tif 000020
【図１１】
2006227644.tif 000021
【図１２】
2006227644.tif 000022
【図１４】
2006227644.tif 000023